(57)【要約】【課題】監視者又は着用者に使い捨てオムツの交換時期を把握させる。【解決手段】使い捨てオムツ１は、腹側部分４Ｆ及び背側部分４Ｂを含む外装体２と、内装体３とを備える。外装体の腹側部分及び背側部分はそれぞれ、横断方向に互いに平行に延びる複数の胴回り弾性部材を有する。外装体は、環状のウエストギャザー領域ＲＷと、腹側押し当て領域ＲＦと、背側押し当て領域ＲＢと、環状の締め付け領域ＲＴと、を有する。背側押し当て領域の面積は腹側押し当て領域の面積よりも小さく、背側押し当て領域における収縮力は腹側押し当て領域における収縮力よりも小さく、かつ０．３５Ｎ以下であり、締め付け領域における単位幅当たりの収縮力は０．４５Ｎ／２５ｍｍ以上である。【選択図】図１
2012101063.tif 000002
【特許請求の範囲】
【請求項１】
腹側部分及び背側部分を含む外装体と、
吸収コアを含む吸収体を備える内装体と、
を備え、
外装体の腹側部分及び背側部分は互いに分離されかつ接合部において互いに接合され、内装体は外装体の腹側部分及び背側部分に接合され、それにより、一つの胴回り開口及び一対の脚回り開口が形成されている、
パンツ型の使い捨てオムツであって、
外装体の腹側部分及び背側部分がそれぞれ、横断方向に互いにほぼ平行に延びる複数の胴回り弾性部材を有し、
外装体が、
腹側部分及び背側部分において腹側部分の上端から内装体の腹側上端までの間を横断方向に拡がる環状のウエストギャザー領域と、
腹側部分において腹側部分の下端と吸収コアの腹側上端との間を横断方向に拡がる帯状の腹側押し当て領域と、
背側部分において背側部分の下端と吸収コアの背側上端との間を横断方向に拡がる帯状の背側押し当て領域と、
腹側部分及び背側部分においてウエストギャザー領域の下端と背側押し当て領域の上端との間を横断方向に拡がる環状の締め付け領域と、
を有し、
背側押し当て領域の面積が腹側押し当て領域の面積よりも小さく、
背側押し当て領域における収縮力が腹側押し当て領域における収縮力よりも小さく、かつ０．３５Ｎ以下であり、
締め付け領域における単位幅当たりの収縮力が０．４５Ｎ／２５ｍｍ以上である、
使い捨てオムツ。
【請求項２】
前記腹側部分及び前記背側部分の上端同士が互いにほぼ整列されており、背側部分の長手方向長さが腹側部分の長手方向長さとほぼ同じか又はこれよりも長い、請求項１に記載の使い捨てオムツ。
【請求項３】
前記吸収体の非肌側面において吸収体の両側縁から横断方向に延出する脚回りシートに脚回り弾性部材がそれぞれ配置され、脚回りシートは吸収体の肌側面に接合される部位を有することなく、外装体に接合される部位を有する、請求項１又は２に記載の使い捨てオムツ。
【請求項４】
前記脚回りシートの遠位端に前記脚回り弾性部材が設けられ、脚回りシートが少なくとも部分的に単層のシート材から構成される、請求項３に記載の使い捨てオムツ。
【請求項５】
前記脚回りシートの前記吸収体の側縁から横断方向への延出量が、背側押し当て領域の長手方向長さとほぼ等しいか又はこれよりも大きい、請求項３又は４に記載の使い捨てオムツ。
【請求項６】
前記脚回りシートがそれぞれ対応する起立固定端を起点として起立するようになっており、これら起立固定端が吸収体の非肌側において長手方向に延びている、請求項３から５までのいずれか一項に記載の使い捨てオムツ。
【請求項７】
前記背側部分に位置する前記締め付け領域における前記胴回り弾性部材のピッチが前記背側押し当て領域における胴回り弾性部材のピッチよりも大きく、前記腹側押し当て領域における胴回り弾性部材のピッチが前記背側押し当て領域における胴回り弾性部材のピッチよりも小さい、請求項１から６までのいずれか一項に記載の使い捨てオムツ。
【請求項８】
前記吸収コアが長手方向両端の幅広部とこれら幅広部間の幅狭部とを有し、吸収コアの両側において幅狭部の側縁と幅広部の側縁との間の横断方向距離が１５ｍｍ以上である、請求項１から７までのいずれか一項に記載の使い捨てオムツ。
【請求項９】
吸収体の吸収容量が１５０ｇ以下である、請求項１から８までのいずれか一項に記載の使い捨てオムツ。
【発明の詳細な説明】
【技術分野】
【０００１】
本発明は使い捨てオムツに関する。
【背景技術】
【０００２】
着用者が排尿しオムツが尿を吸収すると、オムツが重くなり、着用者からずれるおそれがある。
【０００３】
そこで、尿の吸収によってオムツがずれるのを防止するようにした使い捨てオムツが公知である（特許文献１参照）。
【先行技術文献】
【特許文献】
【０００４】
【特許文献１】特開２００７−２９４８２号公報
【発明の概要】
【発明が解決しようとする課題】
【０００５】
ところで、東南アジアや南アジアのような熱帯又は亜熱帯エリアでは、高温及び高湿の気候のため、使い捨てオムツを一日中使用するのではなく、母親のような監視者が家事をしている間、昼寝の間といった昼間の限定された時間のみ使用するという場合がある。
【０００６】
したがって、このような場合には、オムツに大きな吸収能力は不要であり、比較的小さい吸収容量を備える使い捨てオムツが好ましいことになる。吸収容量が小さくなれば製造コストも低減できる。
【０００７】
しかしながら、このように吸収容量が小さいオムツでは、漏れ防止のために、監視者が排尿の有無又はオムツの交換時期を把握することが必要になる。
【０００８】
一方、上述のエリアでは、上述の気候のため、オムツの上に衣類を履かせず、あるいは簡易な布パンツを履かせるに過ぎない。したがって、オムツの状態を目視しやすい状況にある。したがって、尿を吸収したときにオムツが着用者から適度にずれるようにすれば、オムツを交換すべきことを監視者が容易に目視し把握することができる。
【０００９】
このような技術的思想は特許文献１には開示されておらず、むしろ、特許文献１と正反対を指向するものである。
【課題を解決するための手段】
【００１０】
本発明によれば、腹側部分及び背側部分を含む外装体と、吸収コアを含む吸収体を備える内装体と、を備え、外装体の腹側部分及び背側部分は互いに分離されかつ接合部において互いに接合され、内装体は外装体の腹側部分及び背側部分に接合され、それにより、一つの胴回り開口及び一対の脚回り開口が形成されている、パンツ型の使い捨てオムツであって、外装体の腹側部分及び背側部分がそれぞれ、横断方向に互いにほぼ平行に延びる複数の胴回り弾性部材を有し、外装体が、腹側部分及び背側部分において腹側部分の上端から内装体の腹側上端までの間を横断方向に拡がる環状のウエストギャザー領域と、腹側部分において腹側部分の下端と吸収コアの腹側上端との間を横断方向に拡がる帯状の腹側押し当て領域と、背側部分において背側部分の下端と吸収コアの背側上端との間を横断方向に拡がる帯状の背側押し当て領域と、腹側部分及び背側部分においてウエストギャザー領域の下端と背側押し当て領域の上端との間を横断方向に拡がる環状の締め付け領域と、を有し、背側押し当て領域の面積が腹側押し当て領域の面積よりも小さく、背側押し当て領域における収縮力が腹側押し当て領域における収縮力よりも小さく、かつ０．３５Ｎ以下であり、締め付け領域における単位幅当たりの収縮力が０．４５Ｎ／２５ｍｍ以上である、使い捨てオムツが提供される。
【発明の効果】
【００１１】
監視者又は着用者に使い捨てオムツの交換時期を把握させることができる。
【図面の簡単な説明】
【００１２】
【図１】使い捨てオムツの展開平面図である。
【図２】図１の線ＩＩ−ＩＩに沿ってみた模式断面図である。
【図３】図１の線ＩＩＩ−ＩＩＩに沿ってみた模式断面図である。
【図４】吸収コアの平面図である。
【図５】オムツの概略斜視図である。
【図６】本発明による実施例を説明するためのオムツの概略側面図である。
【図７】本発明による実施例を説明するためのオムツの概略側面図である。
【図８】本発明による別の実施例を示す、図３と同様の模式断面図である。
【図９】本発明による更に別の実施例を示す、オムツの概略背面図である。
【発明を実施するための形態】
【００１３】
図１、図２及び図３を参照すると、使い捨てオムツ１は外装体２及び内装体３を備える。なお、図１において、Ｌはオムツ１の長手方向を、Ｔは長手方向に直交する横断方向を、それぞれ示している。
【００１４】
外装体２は腹側部分４Ｆ及び背側部分４Ｂを備える。腹側部分４Ｆ及び背側部分４Ｂはそれぞれ着用時に着用者の腹側及び背側に位置する。
【００１５】
腹側部分４Ｆ及び背側部分４Ｂはそれぞれ長方形状をなしており、長手方向Ｌに互いに分離されて配置される。また、腹側部分４Ｆ及び背側部分４Ｂにはそれぞれ、横断方向Ｔに互いにほぼ平行に延びる胴回り弾性部材５Ｆ，５Ｂが伸長状態で設けられる。なお、図２に示されるように、腹側部分４Ｆ及び背側部分４Ｂはそれぞれ互いに重ねられた２枚のシートから構成され、これらシート間に胴回り弾性部材５Ｆ，５Ｂが配置される。
【００１６】
内装体３は、長手方向Ｌに沿って延びて腹側部分４Ｆ及び背側部分４Ｂに接合され、着用時に着用者の股部に位置する。
【００１７】
また、内装体３は、液不透過性のバックシート６と、バックシート６に接合された吸収体７とを備える。吸収体７は図２に示されるように、液透過性の肌側シート８と、肌側シート８によって密封された液保持性の吸収コア９を含む。この場合、吸収コア９の肌側面は肌側シート８に直接的に接し、すなわち吸収コア９の肌側面と肌側シート８との間に別のシートが設けられない。このように、肌側シート８は吸収コア９を包むコアラップとしても機能する。その結果、コアラップ及びセカンドシート等を省略することができ、したがってオムツの製造コストを大幅に低減することができる。
【００１８】
バックシート６は、長方形状をなし、例えば疎水性の不織布、不透水性のプラスチックフィルム、不織布と不透水性プラスチックフィルムとのラミネートシートから構成される。また、バックシート６は通気性であってもよいし、非通気性であってもよい。
【００１９】
肌側シート８は、長方形状をなし、例えば２つのスパンボンド層とこれらスパンボンド層同士間のメルトブローン層とを含む単一のシートからなる。この場合、肌側シート８全体の目付は１０ｇ／ｍ２、スパンボンド層の目付は８ｇ／ｍ２、メルトブローン層の目付は２ｇ／ｍ２とすることができる。また、メルトブローン層に親水油剤を塗布することもできる。更に、肌側シート８の長手方向の引張強度及び横断方向の引張強度が共に、乾燥時及び湿潤時それぞれにおいて、例えば４．０Ｎ／ｍ２以上である。すなわち、肌側シート８は乾燥時でも湿潤時でも、長手方向及び横断方向の両方に十分な引張強度を備えている。したがって、コアラップを省略しても、吸収コア９、特にＳＡＰ粒子を漏れ落ちるのを確実に抑制できる。また、肌側シート８がメルトブローン層を含んでいるので、ＳＡＰ粒子が漏れ落ちるのを更に確実に抑制することができる。同時に、着用者の肌には肌側シート８のスパンボンド層が接触するので、良好な肌触りが得られる。しかも、肌側シート８はスパンボンド／メルトブローン／スパンボンドの３層構造を含むので、取り扱いが容易になる。
【００２０】
吸収コア９は、例えば繊維集合体及び高吸収ポリマー粒子からなる。繊維集合体は例えばパルプ繊維、綿繊維、レーヨン繊維等のセルロース系繊維、ポリエステル・ポリエチレン系の合成樹脂からなる合成繊維から構成される。高吸収ポリマー（ＳＡＰ）粒子は、自重の１５倍以上の液体を吸収保持することができるものであって、例えば液の保持によりゲル化するアクリル酸系の重合体又は共重合体から構成される。
【００２１】
また、特に図４に示されるように、吸収コア９は、長手方向両端の幅広部９Ｗとこれら幅広部９Ｗ間の幅狭部９Ｎとを有する。吸収コア９の両側において、これら幅広部９Ｗの側縁と幅狭部９Ｎの側縁との間の横断方向距離Ｌ９Ｓは１５ｍｍ以上となるように、吸収コア９が成形されている。
【００２２】
吸収体７の吸収容量は１５０ｇ以下となるように、吸収体７が形成される。このようにすると、吸収体７を形成するのに必要な材料の量を低減することができ、製造コストを低減することができる。なお、吸収体７の吸収容量は１５０ｇよりも大きくてもよい。
【００２３】
ここで、吸収容量は次のようにして算出される。すなわち、まず、吸収体７をオムツ１から取り出してサンプルを用意する。サンプルを２５０メッシュのナイロン袋に入れ、生理食塩水２０００ｍｌ中に３０分間浸し、ＳＡＰ粒子を十分に膨潤させる。次いで、サンプルの質量を測定し、次いで遠心分離機にて１５０Ｇで２分間脱水した後に、サンプルの質量を再度測定する。吸収容量は次式を用いて算出される。
【００２４】
吸収容量（ｇ）＝（脱水後のサンプル質量−脱水前のサンプル質量−ナイロン袋質量）
【００２５】
特に図２及び図３に示されるように、吸収体７の非肌側面７ＮＳにおいて吸収体７の側縁７Ｌ，７Ｌから横断方向に延出する一対の脚回りシート１０が設けられる。この場合、脚回りシート１０はそれぞれ対応する側縁７Ｌ，７Ｌから横断方向にＬ１０だけ延出する。
【００２６】
また、脚回りシート１０の遠位端１０Ｅにはそれぞれ、長手方向に延びる脚回り弾性部材１１が伸長状態で設けられる。脚回りシート１０の遠位端１０Ｅでは脚回りシート１０が折り重ねられて脚回り弾性部材１１が保持される。この場合、バックシート６から脚回り弾性部材１１までの脚回りシート部分１０Ｓは、折り重ねられていない単層のシート材から構成される。すなわち、脚回りシート１０は少なくとも部分的に単層のシート材から構成される。
【００２７】
脚回りシート１０は、長手方向Ｌに沿って拡がるホットメルト接着剤ＡＳによってバックシート６及び外装体２に接合される。したがって、脚回りシート１０は、吸収体７の肌側面７Ｓに接合される部位を有することなく、外装体２に接合される部位を有するということになる。
【００２８】
また、バックシート６は、長手方向Ｌに沿って拡がるホットメルト接着剤ＡＡによって吸収体７の非肌側面７ＮＳに接合される。この場合、図３に示されるように、ホットメルト接着剤ＡＡの側縁ＡＡＥ，ＡＡＥは、吸収体７の側縁７Ｌ，７Ｌよりもわずかに横断方向内側に位置し、したがって吸収体７の非肌側において長手方向Ｌに延びている。着用時、脚回りシート１０はそれぞれ対応するホットメルト接着剤ＡＡの側縁ＡＡＥ，ＡＡＥを起点として起立する。すなわち、側縁ＡＡＥ，ＡＡＥは、脚回りシート１０のための一対の起立固定端を形成する。したがって、脚回りシート１０のための起立固定端が吸収体７の非肌側において長手方向に延びているということになる。
【００２９】
このように、外装体２には横断方向の胴回り弾性部材５Ｆ，５Ｂが設けられ、内装体３には長手方向の脚回り弾性部材１１が設けられる。すなわち、本発明による実施例でにおいて、外装体２及び内装体３は、横断方向及び長手方向を横切る方向に弾性部材を有していない。なお、外装体２及び内装体３が横断方向及び長手方向を横切る方向に弾性部材を有していてもよい。
【００３０】
内装体３のバックシート６はその長手方向端部において外装体２の腹側部分４Ｆ及び背側部分４Ｂにそれぞれ接合される。また、腹側部分４Ｆの脇部分４ＦＳの内面と背側部分４Ｂの脇部分４ＢＳの内面とが互いに接合されて接合部１Ｓが形成される。このようにして、図５に示されるようないわゆるパンツ型オムツ１が形成される。このパンツ型オムツ１は、一つの胴回り開口１Ｗと、一対の脚回り開口１Ｌとを含む。
【００３１】
この場合、腹側部分４Ｆの上端４ＦＥＵ及び背側部分４Ｂの上端４ＢＥＵが互いにほぼ整列されつつ脇部分４ＦＳ，４ＢＳが互いに接合される。図１に示される例では、腹側部分４Ｆの長手方向長さＬ４Ｆと背側部分４Ｂの長手方向長さＬ４Ｂとが互いに等しくなっており、したがって腹側部分４Ｆの下端４ＦＥＬ及び背側部分４Ｂの下端４ＢＥＬも互いにほぼ整列される。
【００３２】
再び図１を参照すると、外装体２は、腹側部分４Ｆ及び背側部分４Ｂにおいて腹側部分４Ｆの上端４ＦＥＵから内装体３の腹側上端３ＦＵまでの間を横断方向に拡がる環状のウエストギャザー領域ＲＷを有する。このウエストギャザー領域ＲＷには、胴回り弾性部材５Ｆ，５Ｂのうち弾性部材５ＦＷ，５ＢＷが含まれる。
【００３３】
外装体２は更に、腹側部分４Ｆにおいて腹側部分４Ｆの下端４ＦＥＬと吸収コア９の腹側上端９ＥＦとの間を横断方向に拡がる帯状の腹側押し当て領域ＲＦを有する。この腹側押し当て領域ＲＦは、胴回り弾性部材５Ｆのうち弾性部材５ＦＣを含み、着用時にこの弾性部材５ＦＣによって着用者に押し当てられる。
【００３４】
外装体２は更に、背側部分４Ｂにおいて背側部分４Ｂの下端４ＢＥＬと吸収コア９の背側上端９ＥＢとの間を横断方向に拡がる帯状の背側押し当て領域ＲＢを有する。この背側押し当て領域ＲＢは、胴回り弾性部材５Ｂのうち弾性部材５ＢＣを含み、着用時にこの弾性部材５ＢＣによって着用者に押し当てられる。なお、図１においてＬＲＢは背側押し当て領域ＲＢの長手方向長さを表しており、例えば２０ｍｍである。
【００３５】
更に、外装体２は、腹側部分４Ｆ及び背側部分４Ｂにおいてウエストギャザー領域ＲＷの下端ＲＷＥと背側押し当て領域ＲＢの上端ＲＢＵとの間を横断方向に拡がる環状の締め付け領域ＲＴを有する。
【００３６】
その上で、背側押し当て領域ＲＢの面積が腹側押し当て領域ＲＦの面積よりも小さくなっている。すなわち、背側押し当て領域ＲＢの横断方向長さ及び腹側押し当て領域ＲＦの横断方向長さが互いにほぼ等しいことを考えると、背側押し当て領域ＲＢの長手方向長さが腹側押し当て領域ＲＦの長手方向長さよりも短くなっている。その結果、背側押し当て領域ＲＢは着用者に対して比較的ズレ下がり易く、腹側押し当て領域ＲＦは比較的ズレ下がり難くなっている。
【００３７】
また、背側押し当て領域ＲＢにおける収縮力は、腹側押し当て領域ＲＦにおける収縮力よりも小さく、０．３５Ｎ以下である。その結果、この点でも、背側押し当て領域ＲＢは比較的ズレ下がり易く、腹側押し当て領域ＲＦは比較的ズレ下がり難くなっている。
【００３８】
ここで、腹側押し当て領域ＲＦ及び背側押し当て領域ＲＢの収縮力は次のようにして測定される。すなわち、腹側押し当て領域ＲＦ及び背側押し当て領域ＲＢを内装体３と共にオムツ１から取り出してサンプルを用意する。このサンプルは互いに重ねられた２枚のシートと、これらシート間の胴回り弾性部材５Ｆ，５Ｂとを含んでいる。次いで、これらシートにシワがなくなるようにサンプルを横断方向に展開し保持する。この初期状態において、胴回り弾性部材５Ｆ，５Ｂは伸長状態にある。サンプルのうち着用者の肌に接触しうる部分を接触部分と称すると、次いで接触部分の横断方向長さ、すなわち脇部分４ＦＳの横断方向内縁同士間の距離又は脇部分４ＢＳの横断方向内縁同士間の距離を測定する。この測定値を初期値とする。次いで、島津製作所製オートグラフ試験機を用いてサンプルの引張力（Ｎ）を測定する。具体的には、まず、サンプルを引張力も収縮力も印加されていない自然状態とする。この場合、サンプルは上述の初期状態から収縮しており、サンプルの接触部分の横断方向長さは上述した初期値の例えば４０％程度である。次いで、このサンプルを一対のチャックにより保持する。この場合、チャックの内縁が脇部分４ＦＳ，４ＢＳの横断方向内縁と一致するようにサンプルは保持されており、したがって接触部分は一対のチャック間で伸縮自在に位置している。次いで、チャックを移動させて接触部分の横断方向長さが初期値の８５％になるようサンプルを伸長させる。次いで、チャックの移動方向を逆転し、接触部分の横断方向長さが初期値の６５％になるように、１００ｍｍ／ｍｉｎでもってサンプルを収縮させる。次いで、この時点でのサンプルの引張力（Ｎ）を測定し、この測定値をサンプルの収縮力とした。
【００３９】
なお、平均的な体型の着用者がオムツ１を着用すると、上記接触部分の横断方向長さは初期値の６５％程度になることが判明している。そこで、接触部分の横断方向長さが初期値の６５％のときの引張力を収縮力として求めている。
【００４０】
更に、締め付け領域ＲＴにおける単位幅（２５ｍｍ）当たりの収縮力が０．４５Ｎ／２５ｍｍ以上である。
【００４１】
単位幅当たりの収縮力は次のようにして算出される。すなわち、脇部分４ＦＳ，４ＢＳ同士を互いに接合したまま締め付け領域ＲＴをオムツ１から取り出してサンプルを用意する。次いで、上述した腹側押し当て領域ＲＦ及び背側押し当て領域ＲＢにおける収縮力の測定と同様にサンプルを延伸及び収縮させ、サンプルの引張力を測定する。次いで、測定された引張力に係数（２５／Ｌ４Ｆ）を乗算することによって単位幅（２５ｍｍ）当たりの収縮力（Ｎ／２５ｍｍ）が算出される。ここで、Ｌ４Ｆはサンプルの幅に対応する腹側部分４Ｆの長手方向長さＬ４Ｆ（ｍｍ）を表している（図１）。
【００４２】
また、背側部分４Ｂに位置する締め付け領域ＲＴにおける弾性部材５ＢのピッチＰＲＴＢは、背側押し当て領域ＲＢにおける弾性部材５ＢのピッチＰＲＢよりも大きく、かつ１０ｍｍ以上である。更に、腹側押し当て領域ＲＦにおける弾性部材５ＦのピッチＰＲＦは背側押し当て領域ＲＢにおけるピッチＰＲＢよりも小さい。このようにすると、長手方向Ｌに関し、背側押し当て領域ＲＢの自由度が高くなり、背側押し当て領域ＲＢが着用者に対してズレ下がり易くなる。背側押し当て領域ＲＢの横断方向中央部分では、特にズレ下がりやすくなる。一方、腹側押し当て領域ＲＦの自由度が低くなり、腹側押し当て領域ＲＦが着用者に対してズレ下がり難くなる。
【００４３】
本発明による実施例では、ピッチＰＲＴＢは１４．５ｍｍ、ピッチＰＲＢは７．５ｍｍ、ピッチＰＲＦは６．５ｍｍとされる。なお、実際の製品において、各ピッチには±０．５ｍｍ程度のバラツキが生じうる。
【００４４】
図６は、着用時のオムツ１の概略側面図であり、排尿前の状態を示している。着用者の脚の付け根には着用者の大腿骨の大転子による突起があり、この突起の上側部分ＰＵ又はその周りに腹側押し当て領域ＲＦ及び背側押し当て領域ＲＢが当接している。その結果、オムツ１はズレ下がりのない状態を維持している。
【００４５】
次いで、排尿があると、尿は吸収体７ないし吸収コア９に吸収され、オムツ１が重くなる。ここで、上述したように、背側押し当て領域ＲＢは着用者に対してズレ下がり易くなっている。その結果、図７に示されるように、背側部分４Ｂが着用者に対してズレ下がる。
【００４６】
その結果、オムツ１の外観が変化する。あるいは、着用者が歩きにくくなる場合もある。いずれにしても、親のような監視者又は着用者は、排尿があったこと又はオムツ１を交換すべきことを容易に把握することができる。
【００４７】
しかも、オムツ１の質量すなわちオムツ１が吸収した尿の量が多くなるにつれて、背側部分４Ｂのズレ下がり量が大きくなる。したがって、監視者は、オムツ１の交換の必要性の程度も、オムツ１の外観から容易に把握することができる。
【００４８】
これに対し、腹側部分４Ｆは着用者に対してほとんどズレ下がらない。したがって、腹側部分４Ｆないし腹側押し当て領域ＲＦは着用者に密着した状態に維持される。その結果、漏れを抑制することができる。また、背側部分４Ｂのズレ下がりが強調され、したがって監視者はオムツ１の外観変化を容易に把握することができる。
【００４９】
背側部分４Ｂがズレ下がると、背側部分４Ｂに位置する締め付け領域ＲＴが突起の上側部分ＰＵ又はその周りに当接する。上述したように、締め付け領域ＲＴにおける単位幅当たりの収縮力は比較的大きくされている。その結果、背側部分４Ｂが更にズレ下がるのが阻止され、したがってオムツ１全体が大幅にズレ下がるのが阻止される。すなわち、オムツ１が適度にズレ下がるのである。
【００５０】
この場合、例えば吸収コア９が着用者の股部にきつく保持され、又は、脚回りシート１０が吸収体７の肌側面７Ｓに接合されていると、オムツ１のズレ下がりが制限されるおそれがある。横断方向及び長手方向を横切る方向に弾性部材によって吸収体７又は吸収コア９が上方に引き上げられている場合も同様である。
【００５１】
これに対し、本発明による実施例では、上述した通り、吸収コア９に、比較的大きな距離Ｌ９Ｓだけ窪んだ幅狭部９Ｎが設けられる。また、脚回りシート１０が吸収体の肌側面７Ｓに接合されない。更に、横断方向及び長手方向を横切る方向に弾性部材が設けられない。したがって、オムツ１のズレ下がりを容易に得ることができる。あるいは、オムツ１の意図しないズレ下がりを防止することもできる。
【００５２】
しかも、単層のシート材から構成される脚回りシート部分１０Ｓにより脚回りシート１０の剛性が低減され、したがって脚回りシート１０は変形しやすくなっている。したがって、脚回りシート１０が着用者の脚回りに接し続けながら、すなわち漏れを防止しながら、オムツ１が容易にズレ下がることが可能となる。
【００５３】
更に、着用時、脚回りシート１０は起立して着用者の脚回りに当接する。その結果、脚回りからのモレを抑制することができる。この場合、脚回りシート１０はそれぞれ、少なくとも延出量Ｌ１０（図２）だけ起立することができる。
【００５４】
一方、排尿によって背側部分４Ｂが背側押し当て領域ＲＢの長手方向長さＬＲＢだけズレ下がると考えると、ズレ下がりが生じたときには着用者の脚回りにおおよそ大きさＬＲＢの隙間が形成されるおそれがある。そこで、ズレ下がりが生じたときにも脚回りシート１０のモレ防止作用を確保するために、延出量Ｌ１０はＬＲＢとほぼ等しいかこれよりも大きいのが好ましい。すなわち、本発明による実施例では、長手方向長さＬＲＢは２０ｍｍであるので、延出量Ｌ１０はほぼ２０ｍｍかこれよりも大きいのが好ましいということになる。
【００５５】
図８に示される別の実施例では、単一の脚回りシート１０が設けられる。脚回り弾性部材１１，１１はこの脚回りシート１０の両側端にそれぞれ保持される。また、バックシート６全体が脚回りシート１０によって覆われ、接着剤ＡＳによって脚回りシート１０に接合される。
【００５６】
図９に示される更に別の実施例では、背側部分４Ｂの下端４ＢＥＬから下方に延出する延出部分ＥＸが設けられる。このようにすると、延出部分ＥＸによって着用者の尻を隠すことができる。なお、延出部分ＥＸは弾性部材を備えていてもよいし、備えていなくてもよい。また、図９に示される例では、延出部分ＥＸは背側部分４Ｂと一体的に形成されているが、背側部分４Ｂと別体であってもよい。
【実施例】
【００５７】
表１に示されるように、背側押し当て領域ＲＢにおける収縮力（Ｎ）、腹側押し当て領域ＲＦにおける収縮力（Ｎ）、及び締め付け領域ＲＴにおける収縮力（Ｎ／２５ｍｍ）が互いに異なるオムツ１を実施例１、実施例２、及び比較例として作成した。なお、各オムツ１について収縮力等を５回測定し、表１にはその下限及び上限を示した。
【００５８】
【表１】
2012101063.tif 000003
【００５９】
各オムツ１について、８０ｍｌの擬似尿を吸収体７に吸収させた。次いで、オムツ１を着用者に着用させ、オムツ１の外観変化を第１段階として観察した。次いで、更に４０ｍｌの擬似尿を吸収体７に吸収させ（合計１２０ｍｌ）、オムツ１を着用者に着用させ、オムツ１の外観変化を第２段階として観察した。
【００６０】
実施例１及び実施例２では、第１段階でも第２段階でも、オムツ１の外観変化が観察された。すなわち、オムツ１のズレ下がりが確認された。これに対し、比較例では、第１段階でも第２段階でも、オムツ１の外観変化は観察されなかった。
【符号の説明】
【００６１】
１    使い捨てオムツ
２    外装体
３    内装体
４Ｆ    腹側部分
４Ｂ    背側部分
５Ｆ，５Ｂ    胴回り弾性部材
７    吸収体
９    吸収コア
ＲＷ    ウエストギャザー領域
ＲＦ    腹側押し当て領域
ＲＢ    背側押し当て領域
ＲＴ    締め付け領域
【図１】
2012101063.tif 000004
【図２】
2012101063.tif 000005
【図３】
2012101063.tif 000006
【図４】
2012101063.tif 000007
【図５】
2012101063.tif 000008
【図６】
2012101063.tif 000009
【図７】
2012101063.tif 000010
【図８】
2012101063.tif 000011
【図９】
2012101063.tif 000012
【手続補正書】
【提出日】平成24年1月17日(2012.1.17)
【手続補正１】
【補正対象書類名】明細書
【補正対象項目名】００２４
【補正方法】変更
【補正の内容】
【００２４】
吸収容量（ｇ）＝（脱水後のサンプル質量−浸す前のサンプル質量）